(57)【要約】【課題】薄小化、軽量化が容易な簡潔構造で設計の自由度、経済性、高荷重分解能、全環境下の安定性を有し、接触荷重の大きさ及び方向を迅速に検出できる柔軟接触型４軸荷重センサを有する柔軟接触型４軸荷重測定システムを提供する。【解決手段】本発明の柔軟接触型４軸荷重測定システム１は、荷重を受ける弾性立体接触部２及び柔軟弾性接触部が直接接して荷重を検出する荷重検出層３を備える柔軟接触型４軸荷重センサ１を有し、荷重検出層は、電極が形成された一対の基板３１、３２及びその電極間に挟持され、電圧印加下で荷重を負荷することで電気抵抗値が変化する特性を備えたカーボン系や金属系を含む導電性複合材料の導電性部材３３を有し、一方又は双方の基板は導電性部材３３により電極を兼ねて一体的に形成された構成に置換えできる。【選択図】図１
2014085306.tif 000002
【特許請求の範囲】
【請求項１】
電気絶縁材料からなるスキン層を介して測定対象物と接触し荷重を受けるように配置され、柔軟で復元性がある弾性部材から平坦又は任意の曲面形状の底面を有する任意の主軸対称立体形状に形成された弾性立体接触部と、前記弾性立体接触部の平坦底面が直接接触するように配置されて前記荷重を検出する荷重検出層とを備える４軸荷重測定用柔軟接触センサを有する柔軟接触型４軸荷重測定システムであって、
前記荷重検出層は、
電極が形成された一対の基板と、
前記一対の基板の電極間に挟持され、電圧を印加した状態で荷重を負荷することにより電気抵抗値が変化する特性を備えた、カーボン系あるいは金属系を含む導電性複合材料からなる導電性部材と、を有し、前記弾性立体接触部の底面形状に合せた平面又は曲面形状に形成され、
前記一対の基板のうち、一方又は双方の基板は、前記導電性部材により電極を兼ねて一体的に形成された構成に置き換えが可能であることを特徴とする柔軟接触型４軸荷重測定システム。
【請求項２】
前記荷重検出層は、曲面形状を有する対象物に前記柔軟接触型４軸荷重センサを前記曲面形状に沿って設置可能なように、前記上部電極及び下部電極を含む一対の基板及び導電性部材がいずれも柔軟性を備えた材料から選択的に構成されることを特徴とする請求項１記載の柔軟接触型４軸荷重測定システム。
【請求項３】
前記弾性立体接触部は、中心軸（主軸）に沿って任意断面形状の貫通孔又は底面に任意断面形状の凹穴が形成されることを特徴とする請求項１又は請求項２記載の柔軟接触型４軸荷重測定システム。
【請求項４】
前記弾性立体接触部の弾性率、アスペクト比あるいはサイズを変更することにより最大測定可能モーメント（トルク）Ｍｚを大きくすることが可能であることを特徴とする請求項１乃至請求項３のいずれか１項記載の柔軟接触型４軸荷重測定システム。
【請求項５】
前記導電性部材は、グラッシーカーボン（以下、ＧＣという）を含む導電性複合材料からなることを特徴とする請求項１乃至請求項４のいずれか１項記載の柔軟接触型４軸荷重測定システム。
【請求項６】
前記一対の基板は、一方又は双方の基板上に形成された電極が、前記弾性立体接触部の任意の底面形状に相似形の面内に主軸に対して複数の対称形状又は非対称形状に分割され配置されることを特徴とする請求項１乃至請求項５のいずれか１項記載の柔軟接触型４軸荷重測定システム。
【請求項７】
前記一対の基板のうち、一方又は双方の基板が、前記電極と一体的に構成されることを特徴とする請求項１乃至請求項６のいずれか１項記載の柔軟接触型４軸荷重測定システム。
【請求項８】
前記柔軟接触型４軸荷重センサに任意荷重Ｐが負荷されるときに、前記複数に分割された各電極ゾーンの電圧変化の検出値から前記任意荷重Ｐの水平成分であるせん断荷重Ｐｔ、垂直成分である垂直荷重Ｐｎ及びモーメントＭｚに分離して演算処理を行う演算処理システムの一部又は全体が、前記柔軟接触型荷重センサの構成の一部として柔軟接触型４軸荷重センサの内部又は／及び外部に設けられることを特徴とする請求項１乃至請求項７のいずれか１項記載の柔軟接触型４軸荷重測定システム。
【発明の詳細な説明】
【技術分野】
【０００１】
本発明は、柔軟な対象物に作用する三軸方向の荷重及びモーメントを検出するための柔軟接触型４軸荷重測定システムに関し、特に、荷重分解能が良く、設計の自由度を有する簡潔構造で薄小化が図れ、接触荷重である４軸荷重の大きさ及び方向を迅速に検出することが可能な柔軟接触型４軸荷重センサを有する柔軟接触型４軸荷重測定システムに関する。
【背景技術】
【０００２】
生産現場では作業効率、安全性向上あるいは人件費削減等のために、ロボットハンドによる複雑作業の自動化が期待され、急速に産業用ロボットの実用化が進行しつつある。
【０００３】
このようなロボットハンドの二指で物体を把持する際に、指先には対象物を押さえる力、対象物がずれ落ちる力、対象物の重心の偏りによって生じるモーメントが作用する。そこで、ロボットハンドが安定して物体を把持し、水平を保ったまま移動するためには、三軸方向の荷重及びモーメントの測定が可能なセンサを指先に取り付ける必要がある。
【０００４】
そして、ロボットハンドの指先に取り付けられるセンサは、対象物に損傷を与えないように柔軟な接触部を有することが求められる。このような柔軟接触型多軸荷重センサの実現により、ロボットハンドによる物体把持能力の向上が図られる。
【０００５】
現在開発あるいは提案されている柔軟なセンサとして、次のような代表例が挙げられる。
【０００６】
第１例は、画像処理を用いて接触状態を測定するセンサである。（例えば、非特許文献１参照）
【０００７】
第２例は、四角錘台形のシリコーンゴムの側面に，ポリイミドフィルム上に作製した酸化クロム薄膜ひずみゲージを貼り付けた柔軟な四軸触覚センサである。（非特許文献２参照）
【０００８】
第３例は、本発明者らが提案しているもので、ロボットのアーム、ボディー、手先部等の作用力を検出する力覚センサであり、特にロボット、医療用ベッドなどの物体表面に固着させることによって、人体などの柔軟な接触体との接触時に柔軟変形すると同時に、接触体から物体表面に作用する接触荷重（３軸方向の力）の大きさ及びその荷重方向を検出可能な柔軟接触型荷重測定センサである。（特許文献１参照）
【０００９】
第４例は、食品用ロボット、医療用ロボット、産業用ロボット、機械装置用の感圧センサ、コンピュータの入力装置等の利用に供し得る、感圧素子を用いた触覚センサである。（特許文献２参照）
【００１０】
第５例として、対象物に加えられた荷重分布を測定するための荷重センサとしてこれまでに感圧導電性インク、感圧導電性ゴムなどの感圧抵抗体を用いたセンサシートなど幾つか提案されている。（例えば、特許文献３参照）
【００１１】
第６例は、永久磁石と軟磁性体が吸引する力を用いて自立的に中心保持を行い、同時にすべりによる磁場変化を元にすべり量を検出する触覚センサである。（特許文献４参照）
【００１２】
第７例は、磁石を内包した柔軟層と、磁気抵抗素子とインダクタを配置した基板層とを積層した構造有する触覚センサである。（特許文献５参照）
【００１３】
第８例は、第１の本体部及び第２の本体部と中間体との間に弾性連結部を設け、中間体を介して本体部を相対移動可能に連結し、第２の本体部に作用する外力の６方向の成分を、センサ基板に搭載された検出電極によって検出する力覚センサである。（特許文献６参照）
【先行技術文献】
【特許文献】
【００１４】
【特許文献１】特開２００７−１８７５０２号公報
【特許文献２】特開２００８−１６４５５７号公報
【特許文献３】特開２００８−２０９３８４号公報
【特許文献４】特開２０１０−１０７４２８号公報
【特許文献５】特開２０１１−１５３８２６号公報
【特許文献６】特開２０１２−９３２９１号公報
【非特許文献】
【００１５】
【非特許文献１】Ｓａｇａ．Ｓ、Ｋａｊｉｍｏｔｏ．Ｈ、ａｎｄ  Ｔａｃｈｉ．Ｓ、“Ｈｉｇｈ‐ｒｅｓｏｌｕｔｉｏｎ  ｔａｃｔｉｌｅ  ｓｅｎｓｏｒ  ｕｓｉｎｇ  ｔｈｅ  ｄｅｆｏｒｍａｔｉｏｎ  ｏｆ  ａ  ｒｅｆｌｅｔｉｏｎ  ｉｍａｇｅ”、Ｓｅｎｓｏｒｓ  Ｒｅｖｉｅｗ、Ｖｏｌ２７、Ｎｏ１、ｐｐ．３５−４２、２００７
【非特許文献２】松永  崇、小栗  泰造、日下  忠興、他、「ひずみゲージを用いた柔軟な四軸触覚センサの開発−酸化クロム薄膜ひずみゲージの作製−」、大阪府立産業技術総合研究所報告  Ｎｏ．２４、２０１０
【発明の概要】
【発明が解決しようとする課題】
【００１６】
しかし、上記非特許文献１に記載の柔軟センサは、情報量が多く、小型化が難しいという問題がある。
【００１７】
非特許文献２に記載の柔軟センサは、ポリイミドフィルム上に形成された酸化クロム薄膜ひずみゲージを、高さ５  ｍｍ、底面の１辺が１０ｍｍ、底面と側面が成す角度（テーパー角）が７５°のシリコーンゴム製の四角錘台の４側面にそれぞれ１枚貼り付けた構造で、特にシリコーンゴム製の四角錘台を薄くでき難く、多数のひずみゲージの配線が複雑となり低コストで製造することが困難であるとともに、特に微小な外力を検出する場合には、弾性連結された複数の変形部をまたぐ配線の弾性が検出値に影響を与え、これが誤差の原因となるという問題がある。
【００１８】
また、特許文献１に記載の柔軟接触型荷重測定センサは、接触体側に配置される弾性体及びスキン層からなる層と、物体側に配置される荷重測定層とを具備し、荷重測定層は、可撓性を有する弾性体側の基板と、それから間隔を隔てて対向配置した物体側の基板と、基板の下面に形成されマイクロスイッチをオン状態とする電極と、電極と対向する基板の上面に形成されたマイクロスイッチの端子と、からなり、接触体から物体に作用する接触荷重に応じてオン状態となるマイクロスイッチの位置に基づいて、前記接触荷重の大きさ及びその荷重方向を検出するユニットとなるセンサセルが、複数連接された、部品点数が多く煩雑な構成となっている。
【００１９】
このように、部品点数が多く積層された煩雑な構成の柔軟接触型荷重測定センサは、小型・軽量化が難しいとともに製作コストも高くなるという問題点がある。さらに、柔軟接触型荷重測定センサは、荷重に応じてマイクロスイッチがＯＮ−ＯＦＦ反応することを利用して荷重を検出するように構成しているため、荷重分解能があまりよくはなく荷重測定値が階段状になるとともに、マイクロスイッチ用の配線が煩雑になる等の問題点がある。
【００２０】
特許文献２に記載の触覚センサは、硬質材料で形成され、変位可能な接触子と、この接触子を表面に設け、接触子の変位を検出ポイントで検出して出力する感圧素子とを備え、感圧素子は、シート状に形成した感圧導電シートと、この感圧導電シートの表面に設けた複数の第一電極と、第一電極と感圧導電シートを介して交差するように感圧導電シートの裏面に設けた複数の第二電極とを有するユニットであるセンサセルが複数連接された、特に交叉する複数の第一電極及び第二電極の部品点数が多く煩雑な構成となっている。
【００２１】
このような構成の触覚センサは、各センサセルが互いに異なる複数の方向に対応した多数の櫛型又は平行電極（複数の交叉する第１電極及び第２電極）を有しているので、小型化が難しいとともに、特に多数のセンサセルが近接するように配置した場合には、多数の第１電極及び第２電極の全てからリード線を引き出すことは非常に困難である。また、各センサセルの構成が煩雑であり、センサセルの密度を高める場合の効率が非常に悪い。さらに、各センサセルで検出した荷重をその大きさに比例した電圧に変換する場合に、全ての接触抵抗に対して１：１の比率で抵抗を電圧に変換するＲ／Ｖ変換回路が必要となり、変換回路が大がかりなものとなり、小型・軽量化が難しいとともに製作コストも高くなる等々の問題点がある。
【００２２】
特許文献３に記載のセンサシートは、帯状であり且つ互いに離隔するように配置された複数の第１電極が配置された基板と、基板の上方に配置された支持部材と、支持部材及びカバー層よりも硬い材質からなる複数の円柱形状のコア部材と、外部から加えられる力を受ける平坦な（凹凸のない）カバー層と、基板の上面に形成された帯状であり且つ互いに離隔すると共に平面視において複数の第１電極と交差するように配置されており、外部から加えられる力に伴って第１電極に近接する方向に変位可能である複数の第２電極と、複数の第１電極と複数の第２電極とをそれぞれ覆うように配置された複数の感圧抵抗体と、を備えており、部品点数が多く煩雑な構成となっており、小型・軽量化が難しいとともに製作コストも高くなる等の問題点がある。
【００２３】
また、特許文献２に記載の触覚センサ及び特許文献３に記載のセンサシートは、いずれも外部からの荷重の互いに異なる複数方向に対応した成分を正確に検出可能なように、それぞれコア部材、接触子を硬質材料で形成する必要があり、それぞれ感圧抵抗体を有する荷重検出層、感圧素子に簡易化し直接柔軟性物質を接触させて荷重を検出することができない。また、感圧導電性ゴムを用いたセンサでは垂直荷重のみ測定可能であり、せん断荷重やモーメントを測定することができない等の基本的な問題点がある。
【００２４】
特許文献４に記載の触覚センサは、磁性体の板と、軸が磁性体であって該軸に直交する鍔を持つ球体がガイドローラで支持され自由に回転できる状態で近接配置され、一方の磁性体が永久磁石であって他方が軟磁性体で構成され、板部には前記球体の軸に対して対称に磁場センサが配置される。また、球体と底板、ガイドローラ等はそれらを内包するカバーでおおわれ、該カバーには球体を介して板と反対側には球体の一部が露出する穴が設けられ、穴から露出した球体に板に平行な力（すべり力）が加えられると球体が回転するという、複数の磁場センサ用配線を含む部品点数が多く煩雑な構成となっており、薄小化及び軽量化が難しいとともに製作コストも高くなる等の問題点がある。
【００２５】
特許文献５に記載の触覚センサは、磁石を内包した柔軟層と、磁気抵抗素子とインダクタを配置した基板層とを積層し、柔軟層の変位に伴い変位する磁石の磁束密度に関し、静的磁束密度情報を磁気抵抗素子にて感知し、動的磁束密度の変化をインダクタにて感知する触覚センサであって、磁気抵抗素子は、３個以上が配置されており、インダクタは、１個以上配置されているという、複数の磁気抵抗素子及びインダクタ用配線を含む部品点数が多く煩雑な構成となっており、薄小化及び軽量化が難しいとともに製作コストも高くなる等の問題点がある。
【００２６】
特許文献６に記載の力覚センサは、下蓋、本体下部からなる下側の第１の本体部と、本体上部、上蓋からなる第２の本体部とを備え、本体下部は中間体下部、周囲の円筒下部及びそれらを相対変位自在に連結する３箇所の第１の弾性連結部からすべて一体的に構成されている。第１の弾性連結部の両側にはそれぞれ貫通する矩形の孔が形成され、第１の弾性連結部は主軸のＺ方向から見るとＨ型で四端を固定した梁から成っている。各梁のＺ軸に直交するＸ方向及びＹ方向の寸法（厚さ）はＺ方向の寸法（高さ）よりも十分に小さく、Ｘ方向及びＹ方向にのみいずれかの梁が撓んで変形し易い構造となっている。本体上部は中間体上部、周囲の円筒上部及びそれらを相対変位自在に連結する３箇所の第２の弾性連結部からすべて一体的に構成されている。第２の弾性連結部は、Ｚ方向の寸法（厚さ）がＸ方向及びＹ方向の寸法（幅）よりも十分に小さい上下一対の梁から構成され、Ｚ方向にのみ梁が撓んで変形が容易な構造となっている。中間体との間に弾性連結部を設け、中間体を介して本体部を相対移動可能に連結し、第２の本体部に作用する外力の６方向の成分を、センサ基板に搭載された検出電極によって検出するという部品点数が多く煩雑な構成となっており、薄小化及び軽量化が難しいとともに製作コストも高くなる等の問題点がある。
【００２７】
さらに、上記非特許文献及び特許文献に記載等の従来の荷重センサは、いずれも耐熱性が一つの弱点となっている。例えば、一般的な歪ゲージを用いたロードセルなどのセンサは使用温度範囲の上限値が４０℃から６０℃程度であり、それよりも高い温度条件下での荷重測定が必要なケースが増えつつある。
【００２８】
本発明は、上記従来技術の問題点に鑑みてなされたものであり、本発明の目的は、簡潔な小形・軽量構造で設計の自由があって経済性に優れ、柔軟な接触部を有し、荷重分解能が良く、高温環境を含む様々な環境下でも安定して三軸方向の荷重及びモーメントを測定できる柔軟接触型４軸荷重センサを有する柔軟接触型４軸荷重測定システムを提供することにある。
【課題を解決するための手段】
【００２９】
上記目的を達成するため、本発明の柔軟接触型４軸荷重測定システムは、電気絶縁材料からなるスキン層を介して測定対象物と接触し荷重を受けるように配置され、柔軟で復元性がある弾性部材から平坦又は任意の曲面形状の底面を有する任意の主軸対称立体形状に形成された弾性立体接触部と、前記弾性立体接触部の底面が直接接触するように配置されて前記荷重を検出する荷重検出層とを備える柔軟接触型４軸荷重センサを有する柔軟接触型４軸荷重測定システムであって、前記荷重検出層は、電極が形成された一対の基板と、前記一対の基板の電極間に挟持され、電圧を印加した状態で荷重を負荷することにより電気抵抗値が変化する特性を備えた、カーボン系あるいは金属系を含む導電性複合材料からなる導電性部材と、を有し、前記弾性立体接触部の底面形状に合せた平面又は曲面形状に形成され、前記一対の基板のうち、一方又は双方の基板は、前記導電性部材により電極を兼ねて一体的に形成された構成に置き換えが可能であることを特徴とする。
【００３０】
また、前記荷重検出層は、曲面形状を有する対象物に前記柔軟接触型４軸荷重センサを前記曲面形状に沿って設置可能なように、前記上部電極及び下部電極を含む一対の基板及び導電性部材がいずれも柔軟性を備えた材料から選択的に構成されることを特徴とする。
【００３１】
また、前記弾性立体接触部は、主軸に沿って任意断面形状の貫通孔又は底面に任意断面形状の凹穴が形成されることを特徴とする。
【００３２】
また、前記弾性立体接触部の弾性率、アスペクト比あるいはサイズを変更することにより最大測定可能モーメント（トルク）Ｍｚを大きくすることが可能であることを特徴とする。
【００３３】
また、前記導電性部材は、グラッシーカーボン（以下、ＧＣという）を含む導電性複合材料からなることを特徴とする。
【００３４】
また、前記一対の基板は、一方又は双方の基板上に形成された電極が、前記弾性立体接触部の底面形状に相似形の面内に主軸に対して複数の対称形状又は非対称形状に分割され配置されることを特徴とする。
【００３５】
また、前記一対の基板のうち、一方又は双方の基板が、前記電極と一体的に構成されることを特徴とする。
【００３６】
さらに、前記柔軟接触型４軸荷重センサに任意荷重Ｐが負荷されるときに、前記複数に分割された各電極ゾーンの電圧変化の検出値から前記任意荷重Ｐの水平成分であるせん断荷重Ｐｔ、垂直成分（主軸（ｚ軸）方向）である垂直荷重Ｐｎ及びモーメントＭｚに分離して演算処理を行う演算処理システムの一部又は全体が、前記柔軟接触型荷重センサの構成の一部として柔軟接触型４軸荷重センサの内部又は／及び外部に設けられることを特徴とする。
【００３７】
本発明に係る柔軟接触型４軸荷重センサは、例えばグラッシーカーボン（ＧＣ：Ｇｌａｓｓ  Ｌｉｋｅ  Ｃａｒｂｏｎ）又はグラッシーカーボン（ＧＣ）を含む例えば気相成長炭素繊維（ＶＧＣＦ：Ｖａｐｏｒ  Ｇｒｏｗｎ  Ｃａｒｂｏｎ  Ｆｉｂｅｒ）を添加したＧＣ／ＶＧＣＦなどの導電性複合材料からなる導電性部材が有する性質のうち、６０℃さらには１０００℃を超える環境下でも安定しているという耐熱性、及び電圧を印加しながら荷重を負荷すると電気抵抗値が変化するという性質を利用したものである。したがって、このような性質を有する物質であれば、必要に応じて耐熱性があればさらに望ましいが、どの物質であっても任意の導電性部材も本発明の柔軟接触型４軸荷重センサの導電性部材として使用することが可能である。
【００３８】
また、本発明に係る柔軟接触型４軸荷重センサに用いられる電極は、必要に応じて耐熱性があれば望ましいが、十分な導電性を有している限り、材料に特に限定されない。
【００３９】
本発明に係る柔軟接触型４軸荷重センサに用いられる電極が形成された基板は、電極の固定が可能なものであれば、必要に応じて耐熱性があればさらに望ましいが、材料に特に限定されない。さらに、基板自体を金属、ＧＣを含む導電性複合材料あるいはその他任意の導電性部材で作製し、前記電極と一体化させ電極を兼ねた導電性部材の構成に置き換える形態とすることもできる。
【００４０】
本発明に係る柔軟接触型４軸荷重センサにおいては、電極が形成された一対の基板のうちの一方又は双方の電極を例えば４等分などの複数に分割して、前記分割された電極をそれぞれゾーンα、β、γ、δ・・・などと定義して区別する。柔軟接触型４軸荷重センサに任意荷重Ｐが負荷されたときには、前記各ゾーンに荷重が分離されることで各ゾーンの電圧が変化する。これを利用して、各ゾーンの電圧変化の関係から前記柔軟接触型４軸荷重センサに負荷される任意荷重Ｐを水平成分であるせん断荷重Ｐｔと、垂直成分である垂直荷重Ｐｎと、モーメントＭｚに分離して測定することが可能になる。また、前記電極の分割数を増やすことにより、各ゾーンの電圧変化の分解能を向上させ、これにより、詳細な荷重分布を正確に測定することが可能になる。
【００４１】
さらに、せん断荷重Ｐｔと、垂直荷重Ｐｎ及びモーメントＭｚの測定には、各ゾーンの電圧変化の検出値を用いての演算処理が必要となるため、この演算処理を行うための、演算処理手段乃至制御手段を有する演算処理システムの一部又は全体を前記柔軟接触型４軸荷重センサの構成の一部として柔軟接触型４軸荷重センサの内部又は／及び外部に設けても良い。
【発明の効果】
【００４２】
本発明によれば、測定対象物と接触し荷重を受けるように配置され、柔軟な弾性部材から平坦又は任意の曲面形状の底面を有する任意の主軸対称立体形状に形成された弾性立体接触部と、弾性立体接触部の底面が直接接触するように配置されて前記荷重を検出する荷重検出層を構成する電極が形成された一対の基板と、一対の基板の電極間に挟持されたグラッシーカーボンを含む導電性複合材料などの耐熱性及び電圧を印加しながら荷重を負荷すると電気抵抗値が変化するという特性を兼ね備えた導電性部材と、を有する簡潔な構成の柔軟接触型４軸荷重センサにより、ロボットハンドの指先に取り付け可能なように薄小化・軽量化が容易で設計の自由度を有し、高温環境を含む様々な環境下で安定して対象物に加わる荷重Ｐのうち、水平荷重Ｐｔ、垂直荷重Ｐｎ及びモーメントＭｚをそれぞれに分離して荷重分解能が良く、接触荷重の大きさ及び方向を迅速に検出することが可能な柔軟接触型４軸荷重測定システムを提供できる効果がある。
【００４３】
また、弾性立体接触部は、ソリッド、主軸に沿って任意断面形状の貫通孔又は底面に任意断面形状の凹穴などが形成される任意の主軸対称立体形状に形成でき、このような弾性立体接触部の任意の底面形状に対応する相似形状の一対の基板上に形成される電極が、主軸に対して複数の対称形状又は任意の非対称形状に分割され配置されることにより、電極配線数を適宜増減できるなど設計の自由度を一層アップする効果がある。
【００４４】
また、弾性立体接触部の弾性係数やアスペクト比などの形状寸法を変化させることで、最大測定可能モーメント（トルク）Ｍｚを大きくすることができる効果もある。
【００４５】
さらに、本発明の構成によると、外部から加えられた荷重の互いに異なる複数方向に対応した成分が、弾性立体接触部と荷重検出層とからなるセンサユニットの複数のゾーンに対応した抵抗値の変化に基づいて検出されるので、各成分を検出するための演算システムが簡略化される効果もある。
【図面の簡単な説明】
【００４６】
【図１】（ａ）は本発明に係る一実施形態（実施例１）の柔軟接触型４軸荷重測定システムの概念を示す模式図、（ｂ）は（ａ）の柔軟接触型４軸荷重センサのＡ−Ａ線矢視鳥瞰図である。
【図２】図１の柔軟接触型４軸荷重測定システムの模式的な電気回路図である。
【図３】図１（ａ）の柔軟接触型４軸荷重センサの荷重測定試験装置の概念図（模式図）である。
【図４】図３の荷重測定試験における柔軟接触型４軸荷重センサの荷重負荷状態を概念的に示す模式図であり、（ａ）は柔軟接触型４軸荷重センサに主軸（ｚ軸）方向に垂直荷重Ｐｎが加えられて弾性立体接触部が圧縮変形した圧縮変形状態、（ｂ）は（ａ）の状態からせん断荷重Ｐｔが加えられて弾性立体接触部が圧縮及びせん断変形したせん断変形状態、（ｃ）は（ｂ）の平面図、（ｄ）は（ａ）の状態から主軸回りのねじりモーメントＭｚが加えられて弾性立体接触部が圧縮及びねじり変形したねじり変形状態、（ｅ）は（ｄ）の平面図をそれぞれ示す模式図である。
【図５】図４（ａ）の圧縮変形状態におけるそれぞれ、（ａ）はスキン層を省いた柔軟接触型４軸荷重センサの模式図、（ｂ）は荷重検出層の上部基板／電極の模式図である。
【図６】図５の柔軟接触型４軸荷重センサの圧縮変形量の測定結果で、（ａ）は各ソーンの電圧変化Ｖｍと圧縮変形量Δｈの関係、（ｂ）は各ソーンの電圧変化量ｄＶｍと圧縮変形量Δｈの関係を示すグラフである。
【図７】図５の柔軟接触型４軸荷重センサの圧縮変形量の測定結果で、各ソーンの電圧変化量ｄＶｍの総和Ｖと圧縮変形量Δｈの関係を示すグラフである。
【図８】図４（ｂ）のせん断変形状態におけるそれぞれ、（ａ）はスキン層を省いた柔軟接触型４軸荷重センサの模式図、（ｂ）は荷重検出層の上部基板／電極の模式図ある。
【図９】図８の柔軟接触型４軸荷重センサのせん断変形量の測定結果で、（ａ）はせん断変形量Δｒと各ソーンの電圧変化量ｄＶｍの関係、（ｂ）はせん断変形量Δｒと電圧変化ΔＶとの関係を示すグラフである。
【図１０】図８の柔軟接触型４軸荷重センサのせん断変形量の測定結果で、（ａ）は電圧変化ΔＶとせん断変形量Δｒの関係、（ｂ）は傾き係数Ｋと圧縮変形量Δｈの関係を示すグラフである。
【図１１】図４（ｄ）のねじり変形状態におけるそれぞれ、（ａ）はスキン層を省いた柔軟接触型４軸荷重センサの模式図、（ｂ）は荷重検出層の上部基板／電極の模式図ある。
【図１２】図１１の柔軟接触型４軸荷重センサのせん断変形量（ねじれ角Ψ＝０で圧縮変形量Δｈ＝０．５ｍｍのとき）の測定結果で、（ａ）はねじれ角Ψと各ゾーンの電圧変化量ｄＶｍの関係、（ｂ）はねじれ角Ψと電圧変化ΓＶの関係を示すグラフである。
【図１３】図１１の柔軟接触型４軸荷重センサのせん断変形量（ねじれ角Ψ＝０で圧縮変形量Δｈ＝０．２５〜２．５ｍｍのとき）の測定結果で、（ａ）はねじれ角Ψと電圧変化ΓＶの関係、（ｂ）は圧縮変形量Δｈと電圧変化ΓVの係数Ｃの関係を示すグラフである。
【図１４】電極用配線を削減するため、上部基板／電極の平面形状を変えた場合の別の実施例として、（ａ）の図１の主軸に対して８個の対称形状のゾーンに分割された電極を（ｂ）の主軸に対して２個の非対称形状を有する５個のゾーンに分割された電極に変更した別の実施例の平面図である。
【図１５】図１の弾性立体接触部の弾性率、アスペクト比あるいはサイズを変更することで最大測定可能モーメント（トルク）Ｍｚを大きくすることができることを示すための説明図である。
【図１６】図１の弾性立体接触部のアスペクト比を変更することで電極の分割ゾーンの数を削減し省配線化が可能であることを説明するためのまた別の実施例の模式図で、（ａ）の８個の対称形状のゾーンに分割された電極を有する正四角柱体形状の弾性立体接触部のアスペクト比を変えて（ｂ）の４個の対称形状のゾーンに分割された電極を有する長方体形状に変更したまた別の実施例の模式図である。
【図１７】図１６（ｂ）の長方体形状の弾性立体接触部を有する柔軟接触型４軸荷重センサのねじれ角Ψと各ゾーンに負荷される垂直加重の測定結果で、（ａ）はねじれ角Ψと各ゾーンに負荷される垂直加重Ｐｍの関係、（ｂ）はねじれ角Ψと関係式から得た荷重出力ＰＰｎ、ＰＭｚ、ＰＰｔの関係を示すグラフである。
【図１８】（ａ）は図１６（ｂ）の長方体形状の弾性立体接触部の模式図で、（ｂ）〜（ｅ）は（ａ）の弾性立体接触部のアスペクト比をそれぞれ変更した変形実施例の弾性立体接触部を示す模式図である。
【図１９】（ａ）〜（ｃ）はまた別の実施例の三角柱形状の柔軟接触型４軸荷重センサの主要部であって、（ａ）は弾性立体接触部の模式図、（ｂ）は弾性立体接触部の垂直応力のコンター図、（ｃ）は荷重検出層の上部基板／電極の模式平面図である。（ｄ）〜（ｆ）はまた別の実施例の五角柱形状の柔軟接触型４軸荷重センサの主要部であって、（ｄ）は弾性立体接触部の模式図、（ｅ）は弾性立体接触部の垂直応力のコンター図、（ｃ）は荷重検出層の上部基板／電極の模式平面図である。
【図２０】また別の実施例の四角柱形状の柔軟接触型４軸荷重センサの主要部であって、（ａ）は主軸に沿って四角断面貫通孔を有する弾性立体接触部、（ｂ）は主軸に沿って円断面貫通孔を有する弾性立体接触部、（ｃ）は（ａ）の弾性立体接触部を有し垂直荷重及びねじりモーメントが負荷された状態の柔軟接触型４軸荷重センサの主要部、（ｄ）は（ｃ）の荷重検出層の上部基板／電極の模式図である。
【図２１】また別の実施例の円柱形状の柔軟接触型４軸荷重センサの主要部であって、（ａ）は主軸に沿って四角断面貫通孔を有する円柱形状の弾性立体接触部の鳥瞰図、（ｂ）は（ａ）の弾性立体接触部に垂直荷重及びねじりモーメントが負荷された状態の垂直応力のコンター図である。
【図２２】また別の実施例の円柱形状の弾性立体接触部の模式図であって、（ａ）は鳥瞰図、（ｂ）は（ａ）の弾性立体接触部の底面の平面図である。
【図２３】（ａ）はまた別の実施例の四角形底面を有する弾性立体接触部、（ｂ）はさらに別の実施例の四角柱形状の底部上にカット球体形状が接合された弾性立体接触部の模式図である。
【図２４】さらに別の実施例の弾性立体接触部の模式図であって、（ａ）は四角台形形状の弾性立体接触部の鳥瞰図、（ｂ）は三角錐体形状の弾性立体接触部の鳥瞰図、（ｃ）は底面に四角断面形状の凹穴が切込まれた半球体形状の弾性立体接触部の鳥瞰図、（ｄ）は（ｃ）の弾性立体接触部の底面の平面図である。
【発明を実施するための形態】
【００４７】
以下、本発明の柔軟接触型４軸荷重測定システムを実施するための形態の具体例を、添付図面を参照しながら説明する。
【実施例１】
【００４８】
本発明に係る一実施形態による実施例１の柔軟接触型４軸荷重測定システム１０は、図１に概念的に示すように、電気絶縁材料のスキン層４を介して測定対象物例えば人体などと接触する柔軟で復元性がある平坦又は任意の曲面形状（図示しない）の底面を有する任意の主軸対称立体形状に形成された弾性立体接触部２を備え、この弾性立体接触部２に作用する荷重Ｐを測定する柔軟接触型４軸荷重センサ１を有する。以下、柔軟接触型４軸荷重センサ１の垂直方向にその中心軸である主軸をＺ軸とし、相互に直交するＸ、Ｙ、Ｚの３軸を定義する。
【００４９】
実施例１の柔軟接触型４軸荷重センサ１は、弾性立体接触部２と、荷重検出層３と、スキン層４とからなる。なお、以下においては、柔軟接触型４軸荷重センサ１を例えば図示しないロボットハンドの指先に取付けた場合をー例として説明する。
【００５０】
荷重検出層３はロボットハンドの指先側、スキン層４は人体などの接触する測定対象物側にそれぞれ配置され、弾性立体接触部２は荷重検出層３とスキン層４との間に直接接触するように配置し挾持される構造になっている。したがって、荷重検出層３は、弾性立体接触部２の底面形状に合せた平面又は図示しない曲面形状に形成される。
【００５１】
弾性立体接触部２は、液体シリコンと硬化剤を９：１の質量比でシンナーも混合し、柔軟性があり弾性復帰力（復元性）を有している。シンナーを添加することで、弾性立体接触部２のヤング率を変えることができる。この実施例の弾性立体接触部２は、シンナーを質量比で４０％添加しており、ヤング率は０．４０４ＭＰａ、  ポアソン比は０．４９２で、１０×１０×５ｍｍの正四角柱体形状である。なお、弾性立体接触部２の材質は上記した材質に限定されるものではなく、例えば、ポリプロピレン（ＰＰ）、ポリエチレン（ＰＥ）、ポリアセタール（ＰＯＭ）等の高分子材料が適用可能である。
【００５２】
荷重検出層３は、上部基板３１と、下部基板３２と、導電性部材３３と、固定用フィルム３４とからなり、上部基板３１と下部基板３２とにそれぞれ形成された電極の間に導電性部材３３が挟持され、固定用フィルム３４で固定し構成される。
【００５３】
上部基板３１には、ポリイミド製のフレキシブル基板を使用し、エッチング処理することにより、図１（ｂ）に示すようなＺ軸回りに４５度毎に分割配置された８つの上部電極３１α、３１β、３１γ、３１δ、３１ε、３１ζ、３１η、３１θ（以上まとめて第１の電極部）が上部基板３１下面上に設けられ、上部電極３１δ〜３１θと下部電極３２Ａとの各間を順次ゾーン（ｚｏｎｅ）１、ゾーン２、ゾーン３、ゾーン４、ゾーン５、ゾーン６、ゾーン７、ゾーン８と定義する。他方、下部基板３２にはガラスエポキシ製のポジ感光基板を使用し、エッチング処理をすることにより下部基板３２上面上には下部電極３２Ａ（第２の電極部）が設けられている。なお、上部基板３１と下部基板３２とを天地逆転させた変形形態、すなわち、図中上側に一面電極を有する下部基板３２、下側には８つに分割された電極３１α〜３１θが配置された上部基板３１としてもよい。いわゆる、荷重検出層３は、この実施例では上部電極３１δ〜３１θを分割し、下部電極３２Ａをグランドとしているが、反対に下部電極３２Ａを分割して、上部電極をグランドとしても同様に柔軟接触型４軸荷重センサの作製が可能である。
【００５４】
導電性部材３３には、ＰＣ（ポリカーボネート）に気相成長炭素繊維（昭和電工製の「ＶＧＣＦ」（登録商標））を例えば２０ｗｔ％添加させた複合材料ＰＣ／２０ｗｔ％ＶＧＣＦを使用している。ＰＣ粉末と気相成長炭素繊維をペレット状にし、圧延することで気相成長炭素繊維が配向する。ＶＧＣＦなどのフィラー材の添加率を変化させることで柔軟接触型４軸荷重センサの感度も変化させることができ、添加率を上げることで柔軟接触型４軸荷重センサの出力感度も大きくなる。
【００５５】
この実施例の柔軟接触型４軸荷重センサ１においては、図示しないが、気相成長炭素繊維の量を一致させるために気相成長炭素繊維の配向方向を４５°としている。なお、気相成長炭素繊維の配向方向を４５°以外の全ての配向方向、ランダムな配向方向としても柔軟接触型４軸荷重センサの作製は可能である．
【００５６】
また、この実施例においては、導電性部材３３の四角形サイズは、１２ｍｍｘ１２ｍｍとしている。なお、弾性立体接触部２は何ら荷重が加わっていない状態においては、基準位置、すなわち８つの上部電極３１α〜３１θの延長線が交差する部分の上方すなわち荷重検出層３のＺ軸上に中心軸を一致させ配置されている。
【００５７】
また、荷重検出層３の導電性部材３３を含む感圧導電性シートを作製する際のフィラー材としては下記表１に示すものも適用可能である。
【表１】
2014085306.tif 000003
なお、複合材料中に添加される形状としては、フレーク状、粉末状、繊維状などが適用可能である。また、複合材料のマトリクス材（母材）に用いる樹脂には、熱硬化性樹脂、熱硬化塑性樹脂、エンジニアリング・プラスチック、他、などの任意の樹脂を選択することが可能である。
【００５８】
さらに、導電性部材３３として、グラッシーカーボン（以下、ＧＣという）及びＧＣに気相成長炭素繊維を添加した複合材料ＧＣ／ＶＧＣＦ、例えば、ＧＣに、ＶＧＣＦを質量比で１２ｗｔ％添加したＧＣ／１２ｗｔ％ＶＧＣＦなどを用いることもできる。ＧＣ／ＶＧＣＦは、グラッシーカーボンと同様、高温で使用可能な導電性部材として有効である。
【００５９】
なお、この実施例の柔軟接触型４軸荷重センサ１は、図１（ｂ）に示すように一方又は双方の電極３２Ａ、３１α、３１β、３１γ、３１δ、３１ε、３１ζ、３１η、３１θと導電性部材３３とを一体として構成された場合であっても、柔軟接触型荷重センサ１として適用が可能である。
【００６０】
こように、導電性部材３３が電極の機能も兼ね備える構成により、構造が一層簡潔化され薄小化及び軽量化された柔軟接触型４軸荷重センサ１を提供することが可能となる。
【００６１】
また、荷重検出層３は、上部電極及び下部電極を含む一対の基板３１、３２及び導電性部材３３を前記適宜な材料を選択的に用いることにより、柔軟性を備えた構成とすることも容易に可能である。これにより、曲面形状を有する対象物に柔軟接触型４軸荷重センサを前記曲面形状に沿って設置することが可能であり、一層適用範囲を拡げ設計の自由度を向上させることができる。
【００６２】
弾性立体接触部２とスキン層４及び荷重検出層３とは接着剤で接続されており、例えば、エポキシ系、シアノアクリレート系の接着剤等が適用可能である。
【００６３】
柔軟接触型４軸荷重センサ１に設置された弾性立体接触部２に任意荷重Ｐが負荷されたとき、各ゾーンに荷重が分離されることで各ゾーンの電圧Ｖｍ（ｍ＝１、２、３、４、５、６、７、８）が変化する。これにより、各ゾーンの電圧変化の関係から弾性立体接触部２に負荷される任意荷重Ｐを水平成分であるせん断荷重Ｐｔ、垂直成分である垂直荷重Ｐｎ及びｚ軸回りのねじりモーメント（トルク）Ｍｚに分離して測定することができる。
【００６４】
せん断荷重Ｐｔ、垂直荷重Ｐｎ及びモーメントＭｚの測定には、各ゾーンの電圧検出値を用いての演算処理が必要となるため、この実施例の柔軟接触型４軸荷重測定システム１０は、各ゾーンの電圧Ｖｍ（ｍ＝１、２、３、４、５、６、７、８）を検出する電圧検出手段１２０と、この電圧検出手段１２０からの電圧検出値を取込んで演算処理を行うための演算処理手段（又は制御手段）１１０と、上部電極３１α〜３１θと下部基板３２に形成された下部電極３２Ａへの電圧を供給する安定化電源１３０とを有する演算処理システム１００を備えている。演算処理システム１００のこれら一部の手段又は全体は、柔軟接触型４軸荷重センサ１の構成の一部として、柔軟接触型４軸荷重センサ１の内部又は及び外部に設けてもよい。
【００６５】
以上、柔軟接触型４軸荷重センサ１の弾性立体接触部２及び荷重検出層３がそれぞれ１つからなるセンサユニットについて説明したが、このセンサユニットを複数配置し連設してシート状に形成する（図示しない）ことにより、大面積の荷重を測定することも可能となる。
【００６６】
（変位測定の原理）
次に、上記のような構造の本発明に係る柔軟接触型４軸荷重センサ１の圧縮変形量Δｈ測定の原理について説明する。なお、以下において荷重Ｐ及びＰに下付き又は添え文宇が付加されたものは、ベクトル表記である。
【００６７】
本発明者らは、弾性立体接触部２に圧縮及びせん断方向の変位、ねじりを加えた際に弾性立体接触部２の下面に生じる荷重分布の関係に着目した。弾性立体接触部２の下面に感圧導電性材料である荷重検出層３を配置することで、荷重と抵抗値変化の関係から逆算的に弾性立体接触部２に生じる変形量を求め、変形抵抗と負荷される荷重の関係から４軸方向の荷重を測定できることを発見した。
【００６８】
柔軟接触型４軸荷重センサ１は、荷重Ｐを負荷することにより導電性部材３３の抵抗値が変化することを利用し、その結果、上部電極３１α〜３１θと下部電極３２Ａとの間に電圧変化が生じ、この電圧変化を検出することにより接触荷重Ｐの大きさ及び方向を測定するものである。
【００６９】
柔軟接触型４軸荷重センサ１センサに負荷される垂直荷重、せん断荷重、ｚ軸回りのモーメント、圧縮変形量、せん断変形量、ねじれ角をそれぞれＰｎ、Ｐｔ、Ｍｚ、Δｈ、Δｒ、Ψと定義する。
【００７０】
また、ゾーンｍに生じる電圧変化量をｄＶｍ（ｍ＝１、２、３、４、５、６、７、８）と定義する。
【００７１】
柔軟接触型４軸荷重センサ１は、抵抗値Ｒ＝１００Ωの固定抵抗を荷重検出層３の下部基板３２の各ゾーンにそれぞれ接続し、図２に模式的に示すように、並列に構成した電気回路で表すことができる。また、導電性部材３３は、いずれも荷重Ｐが負荷されると電気抵抗値が変化するため、可変抵抗Ｒ１、Ｒ２、・・・、Ｒ８と考えることができ、図２の電気回路図のように表すことができる。各ゾーンの電圧をＶ１、Ｖ２、・・・、Ｖ８とした柔軟接触型４軸荷重センサ１は安定化電源を用いて回路に初期電圧を流しているため、初期電圧をＶ０とし、各ソーンの電圧変化量ｄＶｍ（ｍ＝１、２、３、４、５、６、７、８）を式（１）のように表わす。また、各ソーンの電圧変化量ｄＶｍの総和Ｖを式（２）のように表し、せん断荷重Ｐｔを負荷したときの電圧変化△Ｖの関係を式（３）のように表わす。なお、固定抵抗の抵抗値Ｒは任意の値を選択することが可能である。また、各ゾーンに対してブリッジ回路を作製して電圧を測定しセンサとして用いることも可能である。
【００７２】
【数１】
2014085306.tif 000004
【数２】
2014085306.tif 000005
【数３】
2014085306.tif 000006
【００７３】
Ｘ、Ｙ、Ｚ軸方向の各成分の荷重をＰｘ、Ｐｙ、Ｐｚ、各成分の変位量をΔｘ、Δｙ、Δｚとすれば、圧縮変形量Δｈと各ゾーンに生じる電圧変化量ｄＶｍの関係は式（４）のように電圧変化量の総和Ｖで表すことができる。
【数４】
2014085306.tif 000007
ここで、Ｐ１、Ｐ２、Ｐ３、Ｐ４、Ｐ５、Ｐ６、Ｐ７、Ｐ８はそれぞれゾーン１、ゾーン２、ゾーン３、ゾーン４、ゾーン５、ゾーン６、ゾーン７、ゾーン８に負荷される垂直荷重成分で、その総和であるＰＰｎはＰｎに等しい。
【００７４】
Ｘ軸方向に弾性立体接触部２を変位させた場合、Ｘ軸の正方向に対応するゾーンには弾性体に圧縮荷重が作用するため電圧変化量が増加し、反対側に対応するゾーンには引張荷重が作用し、電圧変化量が減少すると考えられる。
よって、式（５）に示すように各ゾーンの差を計算することでＸ軸方向の変位量ΔｘをＶｘとして表すことができる。
【数５】
2014085306.tif 000008
【００７５】
Ｙ軸方向の変位量Δｙに対しても同様に考えられるため式（６）のようにＶｙとして表すことができる。
【数６】
2014085306.tif 000009
【００７６】
また、Δｘ、Δｙはせん断変形量ΔｒのX、Ｙ成分であるため式（７）のように電圧変化ΔVとして表わすことができる。
【数７】
2014085306.tif 000010
【００７７】
弾性立体接触部２にねじりモーメントＭｚを負荷した場合、隣接したゾーンに圧縮荷重と引張荷重が作用するため、ねじれ角Ψは式（８）に示す関係式から電圧変化ΓVによって表わすことができる。
【数８】
2014085306.tif 000011
【００７８】
（変位測定例）
柔軟接触型４軸荷重センサ１の変位測定試験は、図３の荷重測定試験装置の概念図（模式図）に示すように、柔軟接触型４軸荷重センサ１の中心（ｚ軸方向）に垂直荷重Ｐｎ（圧縮変形量Δｈ）を負荷するｚテーブル（ｔａｂｌｅ）、Ｘ又はＹ軸方向にせん断荷重Ｐｔ（せん断変形量Δｒ）を負荷するｘ、ｙテーブル（ｔａｂｌｅ）、ｚ軸回りのモーメントＭｚ（ねじれ角Ψ）を負荷するロータリテーブル（Ｒｏｔａｒｙ  ｔａｂｌｅ）を備える卓上万能試験機を用いて行った。
【００７９】
（圧縮変形量の測定例）
先ず、図４（ａ）及び図５（ａ）、（ｂ）の模式図に示すように、柔軟接触型４軸荷重センサ１の中心（ｚ軸方向）に垂直荷重（Ｎｏｒｍａｌ  Ｌｏａｄ）Ｐｎを負荷し、圧縮変形量Δｈと各ゾーンの電圧変化の関係を求めた。
【００８０】
卓上万能試験機を用いて荷重負荷速度は０．５ｍｍ／ｍｉｎ−定とした。電圧の供給には安定化電源を用いＶ０＝９（Ｖ）一定に制御した。弾性立体接触部２がもとの高さから５０％の高さ、すなわち最大圧縮変形量Δｈ＝２．５ｍｍになるまで柔軟接触型４軸荷重センサ１に垂直荷重Ｐｎを負荷した。
【００８１】
このときの各ゾーンの電圧変化Ｖｍ（ｍ＝１、２、３、４、５、６、７、８）と圧縮変形量Δｈの関係を図６（ａ）のグラフに、各ゾーンの電圧変化量ｄＶｍ（ｍ＝１、２、３、４、５、６、７、８）と圧縮変形量Δｈとの関係を図６（ｂ）のグラフに示す。
【００８２】
柔軟接触型４軸荷重センサ１の中心（Ｚ軸方向）に垂直荷重Ｐｎを負荷しているため、各ゾーンで電圧変化Ｖｍ及び電圧変化量ｄＶｍがそれぞれ一致していることがわかる。
【００８３】
また、各ゾーンの電圧変化量ｄＶｍの総和Ｖと圧縮変形量Δｈの関係を図７に示す。この関係を最小二乗法で近似した関係式を式（９）に示す。
【数９】
2014085306.tif 000012
【００８４】
特許文献２の柔軟接触型荷重ゼンサは、複数のマイクロスイッチをＯＮ−ＯＦＦすることで荷重を検出するため階段状のグラフになり、荷重分解能が劣っていることが明白である。
【００８５】
本発明の柔軟接触型荷重ゼンサ１は、特許文献２の柔軟接触型荷重センサのようなスイッチをＯＮ−ＯＦＦすることで荷重を測定する構成ではなく、導電性部材３３を使用し荷重Ｐｎを加えた際の連続的な抵抗変化を検出することにより荷重測定を行なうことから、階段状にはならず滑らかに変化しているグラフとなっている。この結果から、本発明の柔軟接触型荷重ゼンサ１は、特許文献２の柔軟接触型荷重ゼンサに比して荷重分解能が良く、しかも、荷重分解能は市販のロードセルと略同じ０．０５Ｎである。また、アンプ（増幅器）を使用していないのでノイズも生じない。
【００８６】
（せん断変形量の測定例）
次いで、図４（ｂ）、（ｃ）及び図８（ａ）、（ｂ）の模式図に示すように、柔軟接触型４軸荷重センサ１の中心（ｚ軸方向）に垂直荷重Ｐｎを負荷し弾性立体接触部２の圧縮変形量Δｈ＝０．２５、０．５、１．０、１．５、２．０、２．５ｍｍと変位せた状態で、せん断変形量Δｒ＝２．０ｍｍとなるまでせん断荷重（Ｓｈｅａｒｉｎｇ  ｌｏａｄ）Ｐｔを負荷し、せん断変形量Δｒと各ゾーンの電圧変化の関係を調べた。せん断荷重ＰｔはＸ軸方向に負荷し、せん断荷重負荷速度は３０ｍｍ／ｍｉｎとした。
【００８７】
圧縮変形量Δｈ＝０．５ｍｍと変位せた状態で、せん断荷重Ｐｔを負荷したときの結果を図９（ａ）、（ｂ）に示し、同図（ａ）はせん断変形量Δｒと各ゾーンの電圧変化量ｄＶｍ（ｍ＝１、２、３、４、５、６、７、８）の関係を示すグラフであり、（ｂ）はせん断変形量Δｒと電圧変化ΔVの開係を示すグラフである。このグラフから、せん断荷重Ｐｔにより、各ソーンで電圧が変化していることが分かる。
【００８８】
弾性立体接触部２の圧縮変形量Δｈ＝０．２５、０．５、１．０、１．５、２．０、２．５ｍｍと変位せた状態で、せん断荷重Ｐｔを負荷させたときのせん断変形量Δｒと電圧変化ΔVの開係を図１０（ａ）のグラフに示す。この図からせん断変形量Δｒの増加にともない電圧変化ΔVが線形に増加していることがわかる。
【００８９】
電圧変化ΔVとせん断変形量Δｒの関係における傾き（係数）をＫとすると、せん断変形量Δｒは傾きＫを用いて式（１０）のように表すことができる。
【数１０】
2014085306.tif 000013
【００９０】
図１０（ａ）によれば、垂直荷重Ｐｎの増加、すなわち圧縮変形量Δｈの増加に従い、せん断変形量Δｒと電圧変化△Ｖの傾きＫは緩やかになる傾向を示している。電圧変化△Ｖの傾き係数Ｋと圧縮変形量Δｈの関係を図１０（ｂ）のグラフに示す。
【００９１】
図１０（ｂ）における電圧変化△Ｖの傾きＫは、式（１１）の関係がある。
【数１１】
2014085306.tif 000014
【００９２】
式（１０）及び（１１）から求めた電圧変化ΔVとせん断変形量Δｒの関係式を式（１２）に示す。電圧変化ΔVを式（１２）に代入することでせん断変形量Δｒを測定できる。
【数１２】
2014085306.tif 000015
【００９３】
（ねじれ角の測定例）
図４（ｄ）、（ｅ）及び図１１（ａ）、（ｂ）の模式図に示すように、弾性立体接触部２の圧縮変形量Δｈ＝０．２５、０．５、１．０、１．５、２．０、２．５ｍｍと変位せた状態で、柔軟接触型４軸荷重センサ１のｚ軸回りにねじりモーメントＭｚを負荷し、ねじれ角Ψが−２０度（ｄｅｇ）から２０度（ｄｅｇ）となるまで弾性立体接触部２を変形させ、ねじれ角Ψと電圧変化ΓVの関係を求めた。
【００９４】
弾性立体接触部２の圧縮変形量Δｈ＝０．５ｍｍのときのねじれ角Ψと各ゾーンの電圧変化量ｄＶｍ（ｍ＝１、２、３、４、５、６、７、８）の関係を図１２（ａ）のグラフに、ねじれ角Ψと電圧変化ΓVの関係を図１２（ｂ）のグラフに示す。
【００９５】
また、弾性立体接触部２の圧縮変形量Δｈ＝０．２５、０．５、１．０、１．５、２．０、２．５ｍｍと変位せたときのねじれ角Ψと電圧変化ΓVの関係を図１３（ａ）のグラフに示す。
【００９６】
図１３（ａ）から圧縮変形量Δｈと電圧変化ΓVの関係は、Ｓｉｎ関数で近似できることがわかる。従って、ねじれ角Ψは係数Ｃを用いて式（１３）のように表すことができる。
【数１３】
2014085306.tif 000016
【００９７】
電圧変化ΓVの係数Ｃは圧縮変形量Δｈによって決まる定数であり、圧縮変形量Δｈと係数Ｃの関係を図１３（ｂ）のグラフに示す。図１３（ｂ）のグラフから係数Ｃと圧縮変形量Δｈの関係式は式（１４）のように表される。
【数１４】
2014085306.tif 000017
【００９８】
式（１３）と式（１４）から、ねじれ角Ψと電圧変化ΓVの関係は式（１５）のように表される。電圧変化ΓVを式（１５）に代入することでねじれ角Ψを測定することができる。
【数１５】
2014085306.tif 000018
【００９９】
以上をまとめると、本発明に係る一実施形態による実施例１の柔軟接触型４軸荷重センサ１に圧縮、せん断方向及びねじりの変形量Δｈ、Δｒ、Ψを加えた際に生じる電圧変化の関係を調べた結果、以下のことが判明した。
（１）柔軟接触型４軸荷重センサ１の弾性立体接触部２に垂直荷重Ｐｎ、せん断荷重Ｐｔを加えた結果、各ゾーンの電圧変化ΓVを測定することで圧縮変形量Δｈ、せん断変形量Δｒを測定できる。
（２）柔軟接触型４軸荷重センサ１の弾性立体接触部２にねじりモーメントＭｚを加えた結果、各ゾーンの電圧変化を測定することでねじれ角Ψを測定できる。
（３）荷重検出層３に例えばＰＣ（ポリカーボネート）に気相成長炭素繊維（ＶＧＣＦ）を添加させた複合材料を使用し、ヤング率０．４０４ＭＰａ、直径１０ｍｍの弾性立体接触部２を用いることで、ロボットハンドの指先に取り付け可能なように薄小型で柔軟な柔軟接触型４軸荷重センサ１が実現でき、荷重分解能は市販されているロードセルと同じであった。なお、柔軟接触型４軸荷重センサ１の弾性立体接触部２及び荷重検出層３がそれぞれ１つからなるセンサユニットを多数配置することにより、例えば、ロボットアーム、医療用ベッドなど大面積の荷重測定にも使用できる。
【実施例２】
【０１００】
以下に、種々別の実施形態又は変形実施形態による別の実施例について説明する。
（電極形状の変更例）
実施例１の主軸に対して８個の対称形状のゾーンに分割された上部電極３１（図１４（ａ））を例えば主軸に対して２個の非対称形状のゾーン２、ゾーン３を有する５個のゾーンに分割された上部電極３１Ｘ（図１４（ｂ））に変更することにより、電極用配線数を削減することができる。
【０１０１】
（弾性立体接触部の弾性率、アスペクト比の変更例）
図１５の実施例１の弾性立体接触部２の説明図において、ａは一辺の長さ、Ｅは縦弾性係数、Ｇは横（せん断）弾性係数、ｈは高さであって、Ｚ軸回りのねじりモーメントＭｚは、式（１６）のように表される。
【数１６】
2014085306.tif 000019
【０１０２】
式（１６）から、実施例１の弾性立体接触部２の弾性率、アスペクト比あるいはサイズを変更することで最大測定可能モーメント（トルク）Ｍｚを大きくすることができる。
【０１０３】
（弾性立体接触部のアスペクト比を変更による省配線化例）
正立方体のアスペクト比を変化させるとねじりによって弾性体下面に生じる  垂直応力の分布が変化する。  この現象を用いてセンサの配線数を減少させることが可能である。図１６（ａ）の実施例１の８個の中心軸対称形状のゾーンに分割された上部電極３１を有する正四角柱体形状の弾性立体接触部２のアスペクト比を変えて、図１６（ｂ）に示すように、４個の中心軸対称形状のゾーンに分割された上部電極３１Ａを有する長方体形状の弾性立体接触部２Ａに変更した。
【０１０４】
この４個のゾーンに分割された上部電極３１Ａを有する変形実施例の柔軟接触型４軸荷重センサの荷重（これによる変形量）測定原理は、実施例１と同様であり、例えば、ねじれ角Ψと各ゾーンに負荷される垂直荷重Ｐｍ  （ｍ＝１、２、３、４）の関係を図１７（ａ）のグラフに、ねじれ角Ψと関係式（下記の式（１７）、（１８）、（１９））から得た荷重出力ＰＰｎ、ＰＰｔ、ＰＭｚを図１７（ｂ）のグラフに示す。
【０１０５】
【数１７】
2014085306.tif 000020
【数１８】
2014085306.tif 000021
【数１９】
2014085306.tif 000022
【０１０６】
（弾性立体接触部の弾性率、アスペクト比の種々変更例）
図１６（ｂ）と同じ図１８（ａ）の弾性立体接触部２ＡのＸ、Ｙ、Ｚ軸方向のサイズすなわちアスペクト比を種々任意に変えて、例えば、図１８（ｂ）、（ｃ）、（ｄ）、（ｅ）の弾性立体接触部２Ｂ、２Ｃ、２Ｄ、２Ｅのように任意に変更しても柔軟接触型４軸荷重センサとして作製することができる。
【０１０７】
（弾性立体接触部の形状の変更例）
例えば、図１９（ａ）の三角柱体形状の弾性立体接触部２Ｆ、図１９（ｄ）の五角柱体形状の弾性立体接触部２Ｇなど任意形状の角柱体形状の弾性立体接触部を有する柔軟接触型４軸荷重センサとしても作製することができる。
【０１０８】
図１９（ｂ）、（ｅ）はそれぞれ図１９（ａ）、（ｄ）の弾性立体接触部２Ｆ、２Ｇにねじりモーメントを負荷した際に生じる垂直応力の分布図（コンター図）、図１９（ｂ）、（ｅ）はそれぞれ図１９（ａ）、（ｄ）の弾性立体接触部２Ｆ、２Ｇに対応する上部電極３１Ｆ、３１Ｇの模式平面図である。
【０１０９】
また、例えば、図２０（ａ）、（ｂ）の四角柱体形状の弾性立体接触部２Ｈ、２Ｉにそれぞれ中心軸に沿って四角断面孔２Ｈａ、円断面孔２Ｉａなど、任意の角柱体形状の弾性立体接触部に任意断面形状の孔を設けても構成係数を変更させることにより柔軟接触型４軸荷重センサとして作製することができる。
【０１１０】
図２０（ｃ）は図２０（ａ）の弾性立体接触部２Ｈを有し、垂直荷重Ｐｎ及びねじりモーメントＭｚが負荷された状態の柔軟接触型４軸荷重センサ１Ｈの主要部、図２０（ｄ）は図２０（ｃ）の荷重検出層３Ｈの上部基板／電極３１Ｈの模式図である。
【０１１１】
また、例えば、図２１（ａ）の円柱体形状の弾性立体接触部２Ｊにそれぞれ中心軸に沿って四角断面孔２Ｊａなど、任意の立体形状の弾性立体接触部に任意の多角断面孔を設けると、例えば弾性立体接触部２Ｊにねじりモーメントを加えた際に、図２１（ｂ）のコンター図に示すように、垂直応力２Ｊｂのばらつきが生じる。  この垂直応力２Ｊａの関係を用いて図示しない荷重検出層を配置し、同様に柔軟接触型４軸荷重センサを作製することが可能である。
【０１１２】
そして、任意の多角断面孔を設けた際も前記実施例と同様に垂直荷重、せん断荷重及びモーメントの測定が可能である。
【０１１３】
また、例えば、図２２（ａ）の円柱体形状の弾性立体接触部２Ｋの底面２Ｋａに中心軸に沿って四角断面凹穴（切込み穴）２Ｋｂなど、任意の立体形状の弾性立体接触部の底面に任意の多角断面凹穴を設けても、柔軟接触型４軸荷重センサを作製することが可能である。
【０１１４】
また、例えば図２３（ａ）に示すように、弾性立体接触部２Ｌの底面２Ｌａが多角形であれば  任意立体形状の弾性立体接触部により柔軟接触型４軸荷重センサの作製が可能である。
【０１１５】
さらに、例えば図２３（ｂ）に示すように、任意立体形状の弾性立体接触部２Ｍｂであっても、多角柱形状の弾性立体接触部２Ｍａの上に接合した弾性立体接触部２Ｍとすることにより柔軟接触型４軸荷重センサの作製が可能である。
【０１１６】
さらにまた別の実施例として、図２４（ａ）、（ｂ）、（ｃ）にそれぞれ四角台形形状、三角錐体形状、半球体形状の弾性立体接触部の模式鳥瞰図を示す。図２４（ｄ）には、図２４（ｃ）の弾性立体接触部の底面に四角断面形状の凹穴が切込まれた状態の平面図が示されている。
【０１１７】
このように、本発明の柔軟接触型４軸荷重センサにおける荷重測定原理は、上記した通り、弾性立体接触部の底面を多角形状にすることによって生じる応力分布の関係を利用するため、弾性立体接触部は、多角錐、多角台形など多角底面形状を有した全ての任意形状、さらには円柱に限定されず、半球，半楕円球など任意形状の形態とすることができる。  また、これらの弾性立体接触部に多角形状の貫通孔あるいは底面に凹穴を設けることによって、前記円柱形状弾性立体接触部（図２１（ａ）、（ｂ））などの実施例と同様に垂直応力のばらつきが生じるため、この垂直応力の関係を用いて図示しない荷重検出層を配置し、同様に柔軟接触型４軸荷重センサを作製することが可能である。  さらにまた、前記多角形断面孔のアスペクト比を変化させることで図１６（ａ）、（ｂ）及び段落〔０１０３〕、〔０１０４〕に記載された実施例の原理を用いてセンサの配線数を減らすことも可能である。
【０１１８】
以上のように、本発明の柔軟接触型４軸荷重センサは、必要に応じて種々の実施形態とすることが容易に可能であり、設計の自由度が非常に高い。
【産業上の利用可能性】
【０１１９】
本発明に係る柔軟接触型４軸荷重測定システムは、高い耐熱性を有していながら、高温環境を含む様々な環境下で安定して荷重分解能が良く、接触荷重の大きさ及び方向を迅速に検出することが可能な柔軟接触型４軸荷重センサを有するため、あらゆる分野のロボット関係、機械装置用の感圧センサ、コンピュータの入力装置等を含む広範な産学会分野に利用することが可能である。また、本発明に係る柔軟接触型４軸荷重センサは簡潔な構造で薄小化及び軽量化が容易なため設計の自由度を有し、例えば生体を扱う場合のような、繊細な作業が必要な様々な医療分野等にも、機器の精度を落とすことなく、好適に利用が可能である。
【符号の説明】
【０１２０】
１：柔軟接触型４軸荷重センサ
２、２Ａ、２Ｂ、２Ｃ、２Ｄ、２Ｅ、２Ｆ、２Ｇ、２Ｈ、２Ｉ、２Ｊ、２Ｋ、２Ｌ、２Ｍ、２Ｎ、２Ｐ、２Ｑ：弾性立体接触部
２Ｈａ、２Ｉａ、２Ｊａ：貫通孔
２Ｋｂ、２Ｑｂ：凹穴（切込み穴）
３：荷重検出層
４：スキン層
１０：柔軟接触型４軸荷重測定システム
３１、３１Ｘ：上部基板／電極
３１α、３１β、３１γ、３１δ、３１ε、３１ζ、３１η、３１θ：上部電極（纏めて、第１の電極部）
３２：下部基板
３２Ａ：下部電極
３３：導電性部材
３４：固定用フィルム
１００：演算処理システム
１１０：演算処理（又は制御）手段
１２０：電圧検出手段
１３０：安定化電源
ｄＶｍ（ｍ＝１、２、３、４、５、６、７、８）：（各ゾーンの）電圧変化量
ＧＣ：グラッシーカーボン
Ｐ：任意荷重
Ｐｍ（ｍ＝１、２、３、４、５、６、７、８）：各ゾーンに負荷される荷重
Ｐｎ：垂直荷重
Ｐｔ：せん断荷重（水平荷重）
Ｒ：（電気）抵抗（抵抗値）
Ｒ１、Ｒ２、Ｒ３、Ｒ４、Ｒ５、Ｒ６、Ｒ７、Ｒ８：（各ゾーンの抵抗）可変抵抗
Ｖ：電圧変化量の総和
Ｖ０：初期電圧（電源電圧）
ＶＧＣＦ：気相成長炭素繊維
Ｖｍ（ｍ＝１、２、３、４、５、６、７、８）：各ゾーンの（上部及び下部電極間の）電圧
Ｖｍ０（ｍ＝１、２、３、４、５、６、７、８）：各ゾーンの初期電圧
ΔＶ、ΓV：電圧変化
【図１】
2014085306.tif 000023
【図２】
2014085306.tif 000024
【図３】
2014085306.tif 000025
【図４】
2014085306.tif 000026
【図５】
2014085306.tif 000027
【図６】
2014085306.tif 000028
【図７】
2014085306.tif 000029
【図８】
2014085306.tif 000030
【図９】
2014085306.tif 000031
【図１０】
2014085306.tif 000032
【図１１】
2014085306.tif 000033
【図１２】
2014085306.tif 000034
【図１３】
2014085306.tif 000035
【図１４】
2014085306.tif 000036
【図１５】
2014085306.tif 000037
【図１６】
2014085306.tif 000038
【図１７】
2014085306.tif 000039
【図１８】
2014085306.tif 000040
【図１９】
2014085306.tif 000041
【図２０】
2014085306.tif 000042
【図２１】
2014085306.tif 000043
【図２２】
2014085306.tif 000044
【図２３】
2014085306.tif 000045
【図２４】
2014085306.tif 000046